(57)【要約】  容器（１）はカゴ体（５）と、カゴ体の中心面（２４）と偏倚した位置にてカゴ体に取り付けられる取っ手（２）とを有する。使用時において、取っ手は起立位置及び倒置位置間にて移動自在であり、係合機構（６）は取っ手の起立位置を越えた移動を制限するように設けられる。取っ手は使用者にもたれかかるカゴ体の近位部（１０）に平行に配向される。カゴ体の近位部（１０）は使用者の身体の一部に対して適合するように形状を形成されている。カゴ体は情報を表示するための表示パネル（１６，２７）を含む。
2009530195.tif 000002
【特許請求の範囲】
【請求項１】
ａ）カゴ体と、
ｂ）カゴの中心面から偏倚した位置にてカゴ体に取り付けられる取っ手と、同取っ手は起立位置及び倒置位置間を移動できることと、
ｃ）取っ手の起立位置を越えた移動を制限する係合機構とを備えることを特徴とする容器。
【請求項２】
カゴ体は使用時に使用者にもたれかかる近位部を備えることと、取っ手は使用時に近位部に対して略平行であることとを特徴とする請求項１に記載の容器。
【請求項３】
カゴ体は近位部を備え、同近位部は容器が搬送される場合に使用者の近傍に位置されることと、近位部は使用者の身体の一部に対して適合するような形状を形成されていることとを特徴とする請求項１又は２に記載の容器。
【請求項４】
前記近位部は略凹形を有することを特徴とする請求項３に記載の容器。
【請求項５】
前記カゴ体は使用時に使用者にもたれかかる近位部を備えることと、同近位部は略中実であることとを特徴とする請求項１乃至４のいずれか一項に記載の容器。
【請求項６】
前記取っ手は近位部及び中心面の間に配置されることを特徴とする請求項２乃至５のいずれか一項に記載の容器。
【請求項７】
前記カゴ体は情報を表示する少なくとも１つの表示パネルを備えることを特徴とする請求項１乃至６のいずれか一項に記載の容器。
【請求項８】
前記カゴ体は使用時に使用者にもたれかかる近位部と、近位部とは反対側に設けられる遠位部とを備えることと、前記少なくとも１つの表示パネルは遠位部に設けられることとを特徴とする請求項７に記載の容器。
【請求項９】
前記カゴ体は開口部の周囲を延びるリムを備え、前記少なくとも１つの表示パネルは同リムの少なくとも一部に設けられることを特徴とする請求項７に記載の容器。
【請求項１０】
前記カゴ体は同カゴ体の底部に略直交する方向に指向するように構成される少なくとも１つの表示パネルと、カゴ体の底部に略平行に指向するように構成される少なくとも１つの表示パネルとを備えることを特徴とする請求項７に記載の容器。
【請求項１１】
前記カゴ体は開口部の周囲を少なくとも部分的に延びるリムを有することを特徴とする請求項１乃至１０のいずれか一項に記載の容器。
【請求項１２】
前記リムはフランジを有することと、前記取っ手は容器を保管するために倒置位置にてフランジ上に置かれることとを特徴とする請求項１１に記載の容器。
【請求項１３】
前記係合機構は、
ａ）前記リムの傾斜部と、
ｂ）取っ手上に設けられる先端部とのうち少なくともいずれか一方を備えることを特徴とする請求項１乃至１１のいずれか一項に記載の容器。
【請求項１４】
前記係合機構は、
ａ）フランジ及びリムの少なくともいずれか一方に配置される係止部と、
ｂ）前記取っ手が起立位置に位置される場合に前記係止部に係合して取っ手の更なる運動を制限する係止係合部との少なくともいずれか一方を備えることを特徴とする請求項１乃至１２のいずれか一項に記載の容器。
【請求項１５】
前記取っ手が使用に際して持ち上げられた場合に、係合機構は取っ手を起立位置において取っ手が開放される場合に取っ手が倒置位置に倒れるような角度にて保持することを特徴とする請求項１乃至１４のいずれか一項に記載の容器。
【請求項１６】
前記カゴ体は凹部を有するリムを有し、これにより使用時に容器の積載を可能とすることを特徴とする請求項１乃至１５のいずれか一項に記載の容器。
【請求項１７】
前記カゴ体は底部と近位部とを有し、同近位部は底部に対して角度を持って傾斜されることを特徴とする請求項１乃至１６のいずれか一項に記載の容器。
【請求項１８】
前記カゴ体は底部に対して角度を持って傾斜される開口部を有することを特徴とする請求項１乃至１７のいずれか一項に記載の容器。
【請求項１９】
ａ）カゴ体と、
ｂ）カゴ体に連結される取っ手とを有し、カゴ体は使用時に使用者にもたれかかる近位部を有することと、取っ手は使用時に近位部に対して略平行であることとを特徴とする容器。
【請求項２０】
前記容器は請求項１乃至１８のいずれか一項に記載の容器であることを特徴とする請求項１９に記載の容器。
【請求項２１】
カゴ体と、同カゴ体は近位部を有することと、使用時に同カゴ体は近位部を有し、使用時に同近位部はカゴが搬送される場合に使用者の近傍に位置されることと、同近位部は使用者の身体の一部に対して適合するように形状を形成されていることとを特徴とする容器。
【請求項２２】
前記容器は請求項１乃至２０のいずれか一項に記載の容器であることを特徴とする請求項２１に記載の容器。
【請求項２３】
ａ）情報を表示するための第１の表示パネル及び第２の表示パネルを含むカゴ体と、第１の表示パネルはカゴ体の底部に略直交する方向に指向するように構成され、第２の表示パネルはカゴ体の底部に略平行に指向するように構成されることと、
ｂ）取っ手とを有し、同取っ手はカゴ体に取り付けられることとを特徴とする容器。
【請求項２４】
前記容器は請求項１乃至２２のいずれか一項に記載の容器であることを特徴とする請求項２３に記載の容器。
【請求項２５】
前記容器は買い物用の容器であることを特徴とする請求項１乃至２４のいずれか一項に記載の容器。
【発明の詳細な説明】
【技術分野】
【０００１】
本発明は容器に関する。より具体的には本発明は買い物技術を向上させるように構成される買い物用容器に関する。
（関連技術の説明）
本明細書において参照されるいかなる刊行物（又は刊行物から派生する情報）や周知の技術は、同刊行物（又は刊行物から派生する情報）や周知の技術が本明細書に関する技術分野における慣用技術の一部をなすものと認容したり示唆したりするものと解釈されるべきものでもない。
【背景技術】
【０００２】
現在、食料品等の買い物の際に、使用者があまり買い物をしない場合は使用者はワゴン上の買い物カゴを選択するだろう。買い物カゴは通常買い物が少ない場合に好ましく、これにより使用者はより早くより効率的に買い物を完了できる。
【発明の開示】
【発明が解決しようとする課題】
【０００３】
しかしながら、買い物カゴは通常搬送が快適なものではない。買い物カゴは通常カゴの幅部分を横断して延びる取っ手を有する。使用者はカゴを上下方向に並べる傾向にあり、これにより通常使用者は腕と手を不自然な角度に保持する必要があるため、カゴの搬送が困難となる。これらの短所は更にカゴが重心上に配置される取っ手を有する傾向にあることにより強調される。従って、使用の際使用者は歩行時にカゴが使用者の側部に衝突することを防止するために、使用者から離間してカゴを保持する必要がある。
【０００４】
更に、買い物カゴは軽量化のために通常格子が設けられる。しかしながら、使用者はカゴを身体に近接して搬送する場合に、使用者の服装の一部等が格子やカゴから突出する物に引っかかる危険性がある。
【課題を解決するための手段】
【０００５】
第１の広い態様において本発明は、ａ）カゴ体と、ｂ）取っ手と、ｃ）係合機構とを有する容器を提供する。取っ手はカゴ体の中心面とは偏倚した位置にてカゴ体に取り付けられる。取っ手は起立位置及び倒置位置間を移動自在である。係合機構は取っ手の起立位置を越えた移動を制限する。
【０００６】
通常カゴ体は使用時に使用者にもたれかかる近位部を備え、取っ手は使用時に近位部に対して略平行である。
カゴ体は近位部を備え、近位部は容器が搬送される場合に使用者の近傍に位置される。近位部は使用者の身体の一部に対して適合するように形状を形成されている。
【０００７】
通常近位部は略凹形を有する。
通常カゴ体は使用時に使用者にもたれかかる近位部を備え、近位部は略中実である。
通常取っ手は近位部及び中心面の間に配置される。
【０００８】
通常カゴ体は情報を表示するための少なくとも１つの表示パネルを含む。
通常カゴ体は使用時に使用者にもたれかかる近位部と、近位部とは反対側に設けられる遠位部とを備える。少なくとも１つの表示パネルは遠位部に設けられる。
【０００９】
通常カゴ体は開口部の周囲を延びるリムを備える。少なくとも１つの表示パネルはリムの少なくとも一部に設けられる。
通常カゴ体はカゴ体の底部に略直交する方向に指向するように構成される少なくとも１つの表示パネルと、カゴ体の底部に略平行に指向するように構成される少なくとも１つの表示パネルとを備える。
【００１０】
通常カゴ体は開口部の周囲を少なくとも部分的に延びるリムを有する。
通常リムはフランジを有する。取っ手は容器を保管するために倒置位置にてフランジ上に置かれる。
【００１１】
通常係合機構はａ）リムの傾斜部とｂ）取っ手に設けられる先端部とのうち少なくともいずれか一方を含む。
通常係合機構はａ）フランジとリムのうち少なくともいずれか一方に配置される係止部と、ｂ）取っ手が起立位置に位置される場合に係止部と係合し、取っ手の更なる移動を制限する係止係合部とを含む。
【００１２】
通常取っ手が使用時に持ち上げられた場合に、係合機構は取っ手を起立位置において取っ手が開放される場合に取っ手が倒置位置に戻るような角度にて保持する。
通常カゴ体は凹部を有するリムを含み、これにより使用時に容器の積載が可能となる。
【００１３】
通常カゴ体は底部及び近位部を有し、近位部は底部に対して角度を持って傾斜される。
通常カゴ体は底部に対して角度を持って傾斜される開口部を有する。
第２の広い態様において本発明はａ）カゴ体と、ｂ）カゴ体に連結される取っ手部とを有する容器を提供する。カゴ体は使用時に使用者にもたれかかる近位部を有する。取っ手は使用時に近位部に対してほぼ平行である。
【００１４】
通常容器は本発明の第１の広い態様による容器である。
第３の広い態様において本発明はカゴ体を有する容器を提供する。カゴ体は近位部を有する。使用時にカゴ体は近位部を有し、使用時に近位部はカゴが搬送される場合に使用者の近傍に位置される。近位部は使用者の身体の一部に対して適合するように形状を形成されている。
【００１５】
通常容器は本発明の第１又は第２の広い態様による容器である。第４の広い態様において本発明はａ）情報を表示するための第１の表示パネル及び第２の表示パネルとを含むカゴ体と、ｂ）カゴ体に取り付けられる取っ手とを有する容器を提供する。第１の表示パネルはカゴ体の底部に略直交する方向に指向するように構成され、第２の表示パネルはカゴ体の底部に略平行に指向するように構成される。
【００１６】
通常容器は本発明のその他の広い態様のいずれか１つによる容器である。
通常容器は買い物用の容器である。
【発明を実施するための最良の形態】
【００１７】
本発明の実施形態について、添付の図面を参照して説明する。
図１乃至６は買い物用容器等の容器１の例を示す。
容器１は近位部１０と遠位部１２を含むカゴ体５と、少なくとも２つの端部１４Ａ，１４Ｂとを有する。端部１４Ａ，１４Ｂは対向する端部にて近位部１０及び遠位部１２を連結し、これによりカゴ体５を形成する。カゴ体５は開口部２０及び底部２２も有し、内部に物を収容する。
【００１８】
容器１はリム８に連結される取っ手２を有し、取っ手２は開口部２０の周囲を少なくとも部分的に延びる。取っ手２は第１の取っ手端部３Ａ及び第２の取っ手端部３Ｂを有し、参照符号１５Ａ，１５Ｂにて示す各連結点にてリム８に連結される。実施例において、取っ手は取っ手２がカゴを搬送することに使用可能である持ち上げ位置と、取っ手２が遠位部１２の上方のリム８の少なくとも一部の周囲を延びるフランジ１８に置かれる倒置位置との間にて、連結点１５Ａ，１５Ｂを枢動自在である。取っ手２はリム８に取り付けられ、カゴの中心を通過して上下方向及び長手方向に延びる面２４（以下中心面という）とはずらして設けられる。これらのことからカゴ（取っ手を含まず）の重心は通常中心面上に位置するものといえる。
【００１９】
通常底部２２は矩形であり、矩形の底部２２の短い方の側部に沿って設けられる端部１４Ａ，１４Ｂを備える。従って、各連結点１５Ａ，１５Ｂにて取り付けられる取っ手２を有することにより、容器１が搬送される場合に、近位部１０は使用者の身体に隣接して位置され、取っ手は端部１０，１２とほぼ平行に並べられる。取っ手のこのような長手方向の配置により、取っ手は使用者の自然な腕及び手の位置に並べられるため、使用者の快適さの向上が補助される。
【００２０】
近位部１０及び中心面の間に配置される取っ手２を有することにより、取っ手が中心に配置される場合に遠位部１２及び取っ手２の間の開口部は取っ手２及び近位部１０の間の開口部より大きい。これらにより開口部へのアクセスが向上し、使用者が容器を搬送中に物を開口部を通じて容易に挿入できるようになる。
【００２１】
中心軸からずれた取っ手２を有することにより、取っ手部３Ａ，３Ｂは通常標準的なカゴより大きな長さを有し、これにより取っ手は倒置位置にある場合にフランジ１８上に置かれる。従って、取っ手２は通常持ち上げられた場合に既存のカゴと比較してより大きな高さを有する。これらによりシリアルの箱や高さのある瓶等の大きくかさばるものが従来技術によるカゴに比較してより容易に収容できるものとなる。
【００２２】
従って、取っ手構造体は物が容易に積載できるように大きな口や開口部を備える。これらは従来技術による手提げカゴのものの約２倍の開口部であってもよい。
取っ手の配置の更なる効果は使用者がカゴ体５内の遠位部１２のより近傍に物を積載しようとする傾向にあることである。従って、取っ手２が僅かに中心からずれる場合において、使用者がカゴ体５を持ち上げると遠位部１２の近傍における付加的な物の重量により、遠位部１２は使用者から離間するように僅かに傾斜するように圧力がかけられる傾向にある。従って、近位部１０は底部２２に対して僅かに角度をなすように設けられ、これにより僅かに傾斜した場合に近位部１０は使用者側により安定してもたれかかる。これらにより容器は重みのある物で満載である場合でも容易に搬送できる。
【００２３】
別例において、近位部１０は使用者の身体に安定してもたれかかることができるような形状に形成される。従って、例えば近位部１０は少なくとも部分的に凹面状の湾曲部４を有し、これにより近位部１０は使用者側に適合する。従って、使用者はより向上した快適さを得られる。
【００２４】
更に、買い物カゴは通常格子を設けられ、これらによりカゴの全重量は低減される。しかしながら、図３Ａ，３Ｂから明らかなように、近位部１０は格子が設けられていない。従って、近位部１０が使用者の身体に対してもたれかかった場合に、使用者の服装等がカゴ体５やカゴ体５を貫通して延びる物に引っかかる危険性が減少される（通常カゴの全側面に格子が設けられる場合に生じる）。実施例において、リム８、特に連結点１５Ａ，１５Ｂの領域におけるリム８の部分は通常参照符号６にて示される係合機構を含むように形成され、これにより取っ手が持ち上げられた場合に取っ手の動きを規制する。特に、取っ手２が上下方向の線と角度αを持って設けられ、これにより持ち上げ位置にある場合に重力により片側に傾斜するように構成される。これらには２つの主な効果がある。
【００２５】
第１にカゴ１が取っ手２によって保持されるときに取っ手２のカゴ１に対する回転を制限し、これによりカゴからこぼれたりカゴがひっくり返ることが防止される。これらにより取っ手を重心からずらして設けることができカゴの中身をひっくり返す危険なくカゴが持ち上げられるものといえる。
【００２６】
第２にこれらにより取っ手から手が離れた場合に取っ手が遠位部１２に向かって確実に倒れて戻ることである。従って容器が積み重ねのために載置された場合に取っ手２は確実に自動的に倒置位置に戻る。従って開口部は妨害されないため別の容器を積み重ねて受承可能である。これらにより容器は入れ子状に重合するが、これらは（例えば図１Ａに示すように）取っ手２、フランジ１８、及びリム８の配置によっても補助される。
【００２７】
係合機構６の形状は任意であるが、通常リム８の成形部として形成される。
図７にこれらの例を示す。係合機構６はリム８の成形部２８と、取っ手部３Ａに設けられる先端部９から部分的に形成される。傾斜部２８は縦軸７（底部２２に対して縦方向）に対して角度θを持って形成され、θは通常１°乃至５°である。先端部９は傾斜部２８と共動するような形状に形成され、これにより取っ手の側面１０への移動を阻止し、角度αを保持する。
【００２８】
対応する先端部９が取っ手部３Ｂにも設けられるものといえる。先端部の両者は近位部１０に面する取っ手２の側面に設けられることが求められる。即ち、取っ手はカゴ体５に対して正しい配向にて適合することが求められる。これらはリム８を成形部２８のみが必要な係合手段として機能し、先端部９を不要とするような形状に形成することにより回避可能であるといえる。しかしながら、このため角度θは負である必要がある（これにより外方に向かって延びる成形部は縦線７を通過する）。これらは代わりに射出成形工程において「切れ込み（ｕｎｄｅｒｃｕｔ）」と呼ばれるものをもたらす。具体的に、切れ込みによりカゴ体５を型枠から取り外すことが困難となる。これらは取っ手２を正しく配向することに要する労力の度合いと比較してより高い度合いにて製造工程を阻害する。
【００２９】
しかしながら、好適な工具を使用することにより、リム８の成形にて望ましい角度αを得られるものといえる。従って、係合機構６はリム８の好適な構造から完全に形成可能である。従って、例えば、これらはリム８やカゴ１上に適切に配置されたノブやその他の好適な突出部を有し、上述した取っ手の運動を可能とすることにより得られるものである。
【００３０】
リム８はフランジ１８も有する。取っ手２が部分１２に向かって倒されて倒置位置に位置される場合にフランジ１８に取っ手２が置かれる。通常取っ手２はフランジ１８と同一平面上に位置し、これにより使用されないときにカゴ体５の適切な収納を補助する。リム８のこれらの構成により、取っ手２は部分１２に向かって僅かに傾斜し、取っ手が確実に遠位部１２に向かって倒される。
【００３１】
別の態様において、リム８は底部２２に対して僅かに角度を持ってもよい。図４Ａに角度φにて示すように、通常リム８は底部２２に対して３°の角度をなす。従って、遠位部１２は近位部１２と比較して高さが低く、これによりカゴに容易に積載でき、カゴを快適に把持することができる。
【００３２】
付加的に、リム８は凹部２６も有し、これにより積載性能も向上する。図１Ａ，１Ｂに示すように、例えば、凹部２６はリム８を取り除き遠位部１２から延びるフランジ１８を有するものにおいても形成可能である。
【００３３】
カゴ体５は第１の情報表示パネル１６及び第２の情報表示パネル２７の両者に広告等の情報を表示することもできる。これらは広告メッセージ、特別な買い物セールや、その他の買い物や店の情報を含んでもよい。カゴ体５は情報表示パネル１６，２７により独自のものにすることも可能である。
【００３４】
情報表示パネル１６はカゴのいずれの側面にあってもよいが、一例として、第１の情報表示パネル１６は近位部１０が使用者に配向されるため遠位部１２上に設けられる。これにより使用時に他の買い物客は表示をみることができる。これらの構成において、第１の表示パネル１６は底部２２に直交する方向に設けられ、これにより使用時に第１の表示パネルは通常略上下方向に配置される。
【００３５】
一例において、第２の情報表示パネル２７は凹部２６から形成される。これらの構成において、第２の表示パネル２７は底部２２に平行に設けられ、これにより使用時に第１の表示パネルは通常略平行に設けられる。従って、第２の情報パネルはカゴ１の使用者がカゴに物を積載する場合に使用者及び他の買い物客は容易に目視可能である。また、第２の情報表示パネルはカゴ１の遠位部１２の上方に設けられる。情報表示パネル１６，２７はいかなる態様であってもよく、デジタルディスプレイ、ポスター、ラベル、ホログラム、ステッカー等を含む。
【００３６】
連結点１５Ａ，１５Ｂの構成は好ましい実施例により代えてもよく、また、これらは係合機構の性質に影響を有する。図８乃至１０に連結点の具体的な例がより詳細に示される。
【００３７】
これらの例において、連結点１５Ａはリム８に設けられる開口部４０と、取っ手２をカゴに連結される成形部４２とを含む。成形部４２は先端部９に隣接して上述したように取っ手２の起立位置における可動範囲を制限する傾斜部２８を含む。
【００３８】
これらの例において、リム８は開口部４０を包囲する領域に隆起面４４を含む。
これらに加え、図９に示すリム８の背面はパッド４６を含む。パッド４６及び隆起面４４は開口部に付加的な圧力をもたらす他、開口部の周囲にてリム８の厚みを増し、取っ手２とカゴ１の間の連結を高める。
【００３９】
図１０に、図８の連結点１５Ａの使用に好適である取っ手２の端部の例が示される。この例において、取っ手２は取っ手２から外方に向かって延びる軸５０を含む。軸は肩部５２と、軸５０のベース部にて取っ手２に設けられる円形のボス５４とを含む。
【００４０】
使用の際に、取っ手２は開口部４０内に軸５０及び肩部５２を挿入することによりカゴ１に連結される。軸５０は開口部４０を通過して延びこれにより肩部５２は開口部４０及びパッド４６を通過する。肩部５２は方形の端部に形成されるため、開口部４０に挿入されると、肩部５２の端部はパッド４６に隣接する。これにより軸５０は開口部４０内に保持される。通常軸５０及び開口部４０は軸５０が開口部４０から望ましくなく取り除かれることを防止するように設けられるが、軸５０は開口部４０に対して自由に回動自在である。
【００４１】
取っ手２は成形部４２内に設けられるように構成される湾曲端部５６を含み、これにより取っ手は倒置位置及び起立位置間にて枢動自在となる。湾曲端部５２は傾斜部２８と共動し、所望の起立位置を越える取っ手の運動の制限を補助する先端部９を画定もする。
【００４２】
位置において、ボス５４は隆起面４４に隣接するように調整される。好適な材料を使用することにより取っ手２は円滑に枢動自在となり、これにより取っ手２は妨害されることなく延伸位置及び後退位置間を略妨害されることなく移動可能となるが、連結点１５Ａの圧力はなお保持される。
【００４３】
上述した連結点及び関連する連結構造は例示のためにのみ示されたものであり、これらに限定することを意図したものではないものといえる。従って、隆起面４４、パッド４６、肩部５２、及びボス５４の使用は任意である。
【００４４】
図１１乃至１４に連結点の第２の例がより詳細に示される。
この例において、係合要素６は通常傾斜部２８から形成され、先端部９はフランジ１８上に設けられる（或いはこれに代えてリム８の一部に設けられる）係止部６０も含む。係止部６０は対向端部６２及び摺動端部６４を有する。この例において、対向端部６２は開口部４０の下方に設けられ、略上下方向に配置される。摺動端部は成形部４２及び対向端部６２と離間して下方に傾斜する。
【００４５】
図１２に、図１１の連結点の使用に好適な取っ手２の端部の例を示す。図示のように取っ手２は係止係合部６６を含む。係止係合部６６は取っ手が使用時に起立位置に位置される場合に係止部６０の対向端部６２と係合する。取っ手２が倒置位置に位置される場合に、傾斜面６８は摺動端部６４と係合するように設けられる。
【００４６】
図１３，１４に倒置位置及び起立位置における取っ手の例をそれぞれ示す。図から明らかなように、倒置位置にある場合に取っ手２の傾斜面６８は係止部６０の摺動端部６４の頂部に置かれ、これにより取っ手２はフランジ１８の同一平面上に位置される。しかしながら、取っ手が起立位置に持ち上げられた場合に傾斜部２８及び係合部９が係合し、同様に係止係合部６６及び係止部６０の対向端部６２が係合する。これらは取っ手２が更に回動することを防止するように作用し、これにより取っ手が持ち上げられた場合に角度αを確実に保持する。必須ではないが付加的な係止部６０を使用することにより、リム８及び傾斜部２８の過度の摩耗の減少を補助する。これらの摩耗は取っ手が起立位置に保持される性能に影響を付与し、これによりカゴの寿命を減少させる。
【００４７】
カゴ体５の別の特徴は底部２２のモールド成形である。上述したようにカゴ体５は通常射出成形工程により形成される。これらを補助するために、底部２２は注入点３０、突き出し点３４、及びランナ３２を含んでもよい。注入点３０は通常底部２２の中心から僅かにずれた部分に位置される。ランナ３２は注入点３０から突き出し点３４に向かって延びる。
【００４８】
成形工程において、これらにより材料（プラスチック等）は注入点３０にて型枠内に注入される。材料の流れはランナ３２を通じて型枠全体に分配される。突き出し点３４は成形された容器１を型枠から取り出すために使用され、容易に清掃できるように形成される。
【００４９】
付加的に、側壁及び前面の壁部の格子パターンは非常に僅かな切れ込みを有し、モールド成形工程において型枠のコアが引き抜かれる場合に成型したカゴ体５が外れることを防止する。新たに成型されたカゴ体５は突き出し点３４及びリム８の周囲のうち少なくともいずれか一方にて突き出しピンを使用して開口から「飛び」出される。
【００５０】
これらにより望ましく、且つ容易に清潔な構成が得られるが、更に単純な製造が確実に維持される。
上記の例はずらした取っ手２、長尺状の取っ手の構造体、密着部（又は湾曲部４）、広告又は情報表示パネル、積載が容易である性能を含む多くの様々な特徴を開示するものといえる。従って、容器１は買い物にのみ使用される必要はなく物をある地点から別の地点へ搬送することに使用される。更に、上述した各特徴は単独にて、或いは組み合わせて使用可能であり、例として組み合わせのみを示したに過ぎない。
【００５１】
当業者は様々な別例及び変形例が自明であると認識するだろう。当業者に自明であるこれら全ての別例及び変形例は前述したように発明が広く示す精神及び範囲内にあるものといえる。
【図面の簡単な説明】
【００５２】
【図１Ａ】容器の一例を示す斜視図。
【図１Ｂ】取っ手を持ち上げた図１Ａに示す容器の斜視図。
【図２Ａ】取っ手を置いた図１Ａに示す容器の遠位部側側面図。
【図２Ｂ】取っ手を持ち上げた図１Ａに示す容器の遠位部側側面図。
【図３Ａ】取っ手を置いた図１Ａに示す容器の近位部側側面図。
【図３Ｂ】取っ手を持ち上げた図１Ａに示す容器の近位部側側面図。
【図４Ａ】取っ手を置いた図１Ａに示す容器の端面図。
【図４Ｂ】取っ手を持ち上げた図１Ａに示す容器の端面図。
【図５Ａ】取っ手を置いた図１Ａに示す容器の上面図。
【図５Ｂ】取っ手を持ち上げた図１Ａに示す容器の上面図。
【図６】図１Ａに示す容器の底部斜視図。
【図７】図４Ｂの係合機構の一例を示すカゴ及び取っ手の拡大側面図。
【図８】連結点の一例を示すカゴの拡大斜視図。
【図９】図８の連結点の拡大底面図。
【図１０】図８のカゴに使用される取っ手を示す拡大斜視図。
【図１１】連結点の第２の例を示すカゴの拡大斜視図。
【図１２】図１１のカゴに使用される取っ手を示す拡大斜視図。
【図１３】倒置位置における図８の取っ手の端部を示す拡大側面図。
【図１４】起立位置における図８の取っ手の端部を示す拡大側面図。
【図１Ａ】
2009530195.tif 000003
【図１Ｂ】
2009530195.tif 000004
【図２Ａ】
2009530195.tif 000005
【図２Ｂ】
2009530195.tif 000006
【図３Ａ】
2009530195.tif 000007
【図３Ｂ】
2009530195.tif 000008
【図４Ａ】
2009530195.tif 000009
【図４Ｂ】
2009530195.tif 000010
【図５Ａ】
2009530195.tif 000011
【図５Ｂ】
2009530195.tif 000012
【図６】
2009530195.tif 000013
【図７】
2009530195.tif 000014
【図８】
2009530195.tif 000015
【図９】
2009530195.tif 000016
【図１０】
2009530195.tif 000017
【図１１】
2009530195.tif 000018
【図１２】
2009530195.tif 000019
【図１３】
2009530195.tif 000020
【図１４】
2009530195.tif 000021
【国際調査報告】
2009530195.tif 000022
2009530195.tif 000023
2009530195.tif 000024
2009530195.tif 000025
2009530195.tif 000026
2009530195.tif 000027